【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
内部の複数のデバイスの状態をアイコンで示すステータス画面を構成するＨＴＭＬファイルを記憶する第１の記憶手段と、
前記各デバイスの複数の状態の各々を示すアイコンの画像ファイルを記憶する第２の記憶手段と、
前記複数のデバイスの状態を検知する検知手段と、
前記検知手段によってあるデバイスの状態が変化したことが検知されたら、前記第１の記憶手段に記憶された前記ＨＴＭＬファイルに書き込まれた画像ファイル名を前記第２の記憶手段に記憶された画像ファイルのうち該デバイスの状態に対応する画像ファイルの名前に書き換える書換手段と、
前記書換手段によって画像ファイル名が書き換えられたＨＴＭＬファイルを、ネットワークを介して接続されたクライアントマシンからの要求に応じて、該クライアントマシンに送信し、該クライアントマシンのＷＷＷブラウザで前記ステータス画面を閲覧可能にするＷＷＷサーバ部と、
を備えたことを特徴とするステータス情報通信装置。
【請求項２】
前記ステータス画面は、前記複数のデバイスの状態以外の情報を示すメイン画面と共に表示されることを特徴とする請求項１に記載のステータス情報通信装置。
【請求項３】
前記複数のデバイスの１つはスキャナ部であることを特徴とする請求項１に記載のステータス情報通信装置。
【請求項４】
前記複数のデバイスの１つはパネル部であることを特徴とする請求項１に記載のステータス情報通信装置。
【請求項５】
前記複数のデバイスの１つはＦＡＸ通信部であることを特徴とする請求項１に記載のステータス情報通信装置。
【請求項６】
前記複数のデバイスの１つは音声通信部であることを特徴とする請求項１に記載のステータス情報通信装置。
【請求項７】
前記複数のデバイスの１つはプリンタ部であることを特徴とする請求項１に記載のステータス情報通信装置。
【請求項８】
内部の複数のデバイスの状態を検知し、
あるデバイスの状態が変化したことが検知されたら、前記複数のデバイスの状態をアイコンで示すステータス画面を構成する記憶されたＨＴＭＬファイルに書き込まれた画像ファイル名を、前記複数のデバイスの複数の状態を示すアイコンの記憶された画像ファイルのうち該デバイスの状態に対応する画像ファイルの名前に書き換え、
画像ファイル名が書き換えられたＨＴＭＬファイルを、ネットワークを介して接続されたクライアントマシンからの要求に応じて、該クライアントマシンに送信し、該クライアントマシンのＷＷＷブラウザで前記ステータス画面を閲覧可能にする、
ことを特徴とするステータス情報通信方法。
【請求項９】
前記ステータス画面は、前記複数のデバイスの状態以外の情報を示すメイン画面と共に表示されることを特徴とする請求項８に記載のステータス情報通信方法。
【請求項１０】
前記複数のデバイスの１つはスキャナ部であることを特徴とする請求項８に記載のステータス情報通信方法。
【請求項１１】
前記複数のデバイスの１つはパネル部であることを特徴とする請求項８に記載のステータス情報通信方法。
【請求項１２】
前記複数のデバイスの１つはＦＡＸ通信部であることを特徴とする請求項８に記載のステータス情報通信方法。
【請求項１３】
前記複数のデバイスの１つは音声通信部であることを特徴とする請求項８に記載のステータス情報通信方法。
【請求項１４】
前記複数のデバイスの１つはプリンタ部であることを特徴とする請求項８に記載のステータス情報通信方法。
【手続補正２】
【補正対象書類名】明細書
【補正対象項目名】００１１
【補正方法】変更
【補正の内容】
【００１１】
【課題を解決するための手段】
本発明のステータス情報通信装置は、内部の複数のデバイスの状態をアイコンで示すステータス画面を構成するＨＴＭＬファイルを記憶する第１の記憶手段と、前記各デバイスの複数の状態の各々を示すアイコンの画像ファイルを記憶する第２の記憶手段と、前記複数のデバイスの状態を検知する検知手段と、前記検知手段によってあるデバイスの状態が変化したことが検知されたら、前記第１の記憶手段に記憶された前記ＨＴＭＬファイルに書き込まれた画像ファイル名を前記第２の記憶手段に記憶された画像ファイルのうち該デバイスの状態に対応する画像ファイルの名前に書き換える書換手段と、前記書換手段によって画像ファイル名が書き換えられたＨＴＭＬファイルを、ネットワークを介して接続されたクライアントマシンからの要求に応じて、該クライアントマシンに送信し、該クライアントマシンのＷＷＷブラウザで前記ステータス画面を閲覧可能にするＷＷＷサーバ部と、を備える。
【手続補正３】
【補正対象書類名】明細書
【補正対象項目名】００１２
【補正方法】変更
【補正の内容】
【００１２】
【発明の実施の形態】
本発明の第１の態様のステータス情報通信装置は、内部の複数のデバイスの状態をアイコンで示すステータス画面を構成するＨＴＭＬファイルを記憶する第１の記憶手段と、前記各デバイスの複数の状態の各々を示すアイコンの画像ファイルを記憶する第２の記憶手段と、前記複数のデバイスの状態を検知する検知手段と、前記検知手段によってあるデバイスの状態が変化したことが検知されたら、前記第１の記憶手段に記憶された前記ＨＴＭＬファイルに書き込まれた画像ファイル名を前記第２の記憶手段に記憶された画像ファイルのうち該デバイスの状態に対応する画像ファイルの名前に書き換える書換手段と、前記書換手段によって画像ファイル名が書き換えられたＨＴＭＬファイルを、ネットワークを介して接続されたクライアントマシンからの要求に応じて、該クライアントマシンに送信し、該クライアントマシンのＷＷＷブラウザで前記ステータス画面を閲覧可能にするＷＷＷサーバ部と、を備える。この構成によれば、ＨＴＭＬファイルに書き込まれた画像ファイル名を書き換えるので、あるデバイスの状態が変化したことが検知された際に迅速にＨＴＭＬファイルを書き換えることができる。
【手続補正４】
【補正対象書類名】明細書
【補正対象項目名】００１３
【補正方法】変更
【補正の内容】
【００１３】
本発明の第２の態様は、第１の態様のステータス情報通信装置において、前記ステータス画面は、前記複数のデバイスの状態以外の情報を示すメイン画面と共に表示される。この構成によれば、ステータス画面とメイン画面とが一緒に表示されるため、ユーザが画面を切り替えて表示させる必要が無く使い勝手がよい。
【手続補正５】
【補正対象書類名】明細書
【補正対象項目名】００１４
【補正方法】変更
【補正の内容】
【００１４】
本発明の第３の態様では複数のデバイスの１つはスキャナ部であり、本発明の第４の態様では複数のデバイスの１つはパネル部であり、本発明の第５の態様では複数のデバイスの１つはＦＡＸ通信部であり、本発明の第６の態様では複数のデバイスの１つは音声通信部であり、本発明の第７の態様では複数のデバイスの１つはプリンタ部である。これらの態様によれば、ユーザはスキャナ部、パネル部、ＦＡＸ通信部、音声通信部、プリンタ部の状態を知ることができる。
【手続補正６】
【補正対象書類名】明細書
【補正対象項目名】００１５
【補正方法】変更
【補正の内容】
【００１５】
本発明の第８の態様のステータス情報通信方法は、内部の複数のデバイスの状態を検知し、あるデバイスの状態が変化したことが検知されたら、前記複数のデバイスの状態をアイコンで示すステータス画面を構成する記憶されたＨＴＭＬファイルに書き込まれた画像ファイル名を、前記複数のデバイスの複数の状態を示すアイコンの記憶された画像ファイルのうち該デバイスの状態に対応する画像ファイルの名前に書き換え、画像ファイル名が書き換えられたＨＴＭＬファイルを、ネットワークを介して接続されたクライアントマシンからの要求に応じて、該クライアントマシンに送信し、該クライアントマシンのＷＷＷブラウザで前記ステータス画面を閲覧可能にする。この方法によれば、ＨＴＭＬファイルに書き込まれた画像ファイル名を書き換えるので、あるデバイスの状態が変化したことが検知された際に迅速にＨＴＭＬファイルを書き換えることができる。
【手続補正７】
【補正対象書類名】明細書
【補正対象項目名】００１６
【補正方法】変更
【補正の内容】
【００１６】
本発明の第９の態様は、第８の態様のステータス情報通信方法において、前記ステータス画面は、前記複数のデバイスの状態以外の情報を示すメイン画面と共に表示される。この方法によれば、ステータス画面とメイン画面とが一緒に表示されるため、ユーザが画面を切り替えて表示させる必要が無く使い勝手がよい。
【手続補正８】
【補正対象書類名】明細書
【補正対象項目名】００１７
【補正方法】変更
【補正の内容】
【００１７】
本発明の第１０の態様では複数のデバイスの１つはスキャナ部であり、本発明の第１１の態様では複数のデバイスの１つはパネル部であり、本発明の第１２の態様では複数のデバイスの１つはＦＡＸ通信部であり、本発明の第１３の態様では複数のデバイスの１つは音声通信部であり、本発明の第１４の態様では複数のデバイスの１つはプリンタ部である。これらの態様によれば、ユーザはスキャナ部、パネル部、ＦＡＸ通信部、音声通信部、プリンタ部の状態を知ることができる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】